(57)【要約】  本発明は、ディスプレイパネル（１１〜１９）を備えるタワー形状に設計されたディスプレイ装置であって、ディスプレイパネル（１１〜１９）は、複数のレベル（２０，２１）において１つが他の上に組み立てられ、翼のように各レベルにおいて旋回するように接続され、レベルごとにそれぞれ互いから独立して共通垂直軸（２９）に対して回転可能なディスプレイ装置に関する。このディスプレイ装置は、作動手段によって、１つのレベルにおけるディスプレイパネル（１１〜１９）が載置されるように共通な垂直面に対して広げられる位置と、プリズムの側面を形成し、ディスプレイパネル（１１〜１９）をレベルごとに回転させるために折りたたまれる位置との間においてディスプレイパネル（１１〜１９）をレベルごとに折りたたみ及び広げるという特徴を更に備える。
2013539060.tif 000002
【特許請求の範囲】
【請求項１】
ディスプレイパネル（１１〜１９）を備えるタワー形状に設計されたディスプレイ装置であって、
前記ディスプレイパネル（１１〜１９）は、複数のレベル（２０，２１）において１つが他の上に組み立てられ、翼のように各レベルにおいて旋回するように接続され、レベルごとにそれぞれ互いから独立して共通垂直軸（２９）に対して回転可能であり、
前記ディスプレイパネル（１１〜１９）は、作動手段により、１つのレベルにおける該ディスプレイパネル（１１〜１９）が載置されるように共通な垂直面に対して広げられる位置と、プリズムの側面を形成し、前記ディスプレイパネル（１１〜１９）をレベルごとに回転させるために折りたたまれる位置との間においてレベルごとに折りたたみ及び広げられる、ディスプレイ装置。
【請求項２】
前記プリズムは、直線的なプリズムである、請求項１に記載のディスプレイ装置。
【請求項３】
前記プリズムは、三面プリズムである、請求項１又は２に記載のディスプレイ装置。
【請求項４】
各レベルのディスプレイパネル（１１〜１９）は、特定のプリズム支持構造体（２３，２４，２５）に接続されており、該プリズム支持構造体は、前記ディスプレイパネル（１１〜１９）が折りたたまれた状態となる前記プリズム内に載置される、請求項１〜３のいずれか１項に記載のディスプレイ装置。
【請求項５】
ディスプレイパネル（１２，１５，１８）は、支持構造体（２３，２４，２５）に密着されるとともに、同じレベルにおいて、該ディスプレイパネル（１２，１５，１８）の両側に隣接するディスプレイパネルは、折りたたまれ及び広げられるために、旋回するように該ディスプレイパネル（１２，１５，１８）に結合され、任意に、更なるディスプレイパネルが旋回するように両側に隣接するディスプレイパネルに結合される、請求項４に記載のディスプレイ装置。
【請求項６】
前記作動手段は、１つのレベルにおいてディスプレイパネルを旋回するためにピストン−シリンダアセンブリ、及びレバーアセンブリのうちの少なくとも１つを備え、前記ピストン−シリンダアセンブリ、及びレバーアセンブリのうちの少なくとも１つは、支持構造体（２３〜２５）と、旋回されるディスプレイパネル（１１〜１９）とに接続される、請求項４又は５に記載のディスプレイ装置。
【請求項７】
作動手段（２３〜２５）は、１つのレベルにおいてディスプレイパネル（１１〜１９）を旋回させるピストン−シリンダアセンブリを備えており、前記ピストン−シリンダアセンブリは、支持構造体と旋回されるディスプレイパネルとに接続される、請求項１〜３のいずれか１項に記載のディスプレイ装置。
【請求項８】
駆動手段は、対応するレベルの支持構造体（２３〜２５）を回転して駆動するため、且つ、レベルごとのディスプレイパネル（１１〜１９）を折りたたみ及び広げるために、レベル（２０〜２２）の垂直軸と並べられた同心シャフトアセンブリを備える、請求項４〜７のいずれか１項に記載のディスプレイ装置。
【請求項９】
ディスプレイパネルのレベル（２０〜２２）は、ベースにおいて配置されており、同ベースは、個々のレベル（２０〜２２）の折りたたまれたディスプレイパネルと同じプリズム形状を有する、請求項１〜８のいずれか１項に記載のディスプレイ装置。
【請求項１０】
ディスプレイパネル（１１〜１９）は、例えば、印刷物の形態により、静止した可視コ
ンテンツをパネルの表示側に表示する、請求項１〜９のいずれか１項に記載のディスプレイ装置。
【請求項１１】
１つの面に存在する、広げられたディスプレイパネルにおける、各ディスプレイパネル（１１〜１９）の可視コンテンツは、１つの結合した大型画像を構成する１つのレベルに渡って広がっている、請求項１０に記載のディスプレイ装置。
【請求項１２】
ディスプレイパネル（１１〜１９）は、動きのある可視コンテンツを備える、請求項１〜９のいずれか１項に記載のディスプレイ装置。
【請求項１３】
ディスプレイパネル（１１〜１９）は、平坦なスクリーンを備える、請求項１２に記載のディスプレイ装置。
【請求項１４】
個々のディスプレイパネル（１１〜１９）の可視コンテンツは、ディスプレイパネルの旋回と、支持構造体（２３〜２５）の回転とを制御する、請求項１３に記載のディスプレイ装置。
【請求項１５】
ディスプレイパネル（１１〜１９）全ての可視コンテンツの集合である可視コンテンツ全体は、ディスプレイパネルの旋回とその支持構造体（２３〜２５）の回転とを制御する、請求項１４に記載のディスプレイ装置。
【請求項１６】
前記可視コンテンツに応じて駆動手段を作動させるコンテンツプレーヤを備える電子制御装置が、有利に提供される、請求項１４又は１５に記載のディスプレイ装置。
【請求項１７】
フレーム（４０）上の旋回面において旋回可能であるように組み立てられ、５肢のレベル結合機構（４０〜４４）をそれぞれ備える少なくとも１つのコンポーネント（４１）を旋回させるためのアセンブリであって、
前記５肢のレベル結合機構（４０〜４４）は、前記フレーム（４０）によって形成される固定結合部材と、前記フレーム（４０）の第１固定点に連結された第１の可動結合部材（４２）とを備え、
前記第１の可動結合部材（４２）は、第２及び第３の可動結合部材（４３，４４）によって第４の可動結合部材（４４）に結合され、前記第４の可動結合部材（４４）は前記フレーム（４０）の第２固定点（４５）に連結され、それによって、前記５肢のレベル結合機構（４０〜４４）は旋回可能なコンポーネント（４１）を形成し、
前記第２及び第３の可動結合部材（４３，４４）は、２つの補助案内部材（４７，４８）によって補われ、
補助部材（４７，４８）は、４バー連結部（４３，４４，４６，４７）を形成するように、互いに対し及び第３の可動結合部材に対し運動可能に接続されており、
前記補助案内部材（４６，４７）を互いに接続させる節ジョイント部（４８ａ）は、制御案内部材（４８）によって、前記第１の可動結合部材（４２）に接続される、アセンブリ。
【請求項１８】
前記第１の可動結合部材（４２）は、旋回駆動部（４９〜５１）に接続される、請求項１７に記載のアセンブリ。
【請求項１９】
前記第１の可動結合部材（４２）は、フレーム（４０）に回転可能に取り付けられる、円板又は部分円板（４２ａ）の形状であり、該円板又は部分円板（４２ａ）の周囲には駆動歯車（４９）と噛み合う周辺歯部（５０）が形成される、請求項１７又は１８に記載のアセンブリ。
【請求項２０】
前記周辺歯部（５０）及び前記駆動歯車（４９）は、ウォームギア部（４９）を形成する、請求項１９に記載のアセンブリ。
【請求項２１】
前記駆動歯車（４９）は電気モータ（５１）に接続される、請求項１９又は２０に記載のアセンブリ。
【請求項２２】
第２の結合部材（４３）は、周囲端から径方向内側に、回転可能に取り付けられた円板又は部分円板（４２ａ）に対し、連結されるとともに、前記円板又は部分円板（４２ａ）の周囲端上の制御案内部材（４８）は、周方向において、前記円板又は部分円板上の第２の結合部材（４３）の結合点から離れている、請求項１９〜２１のいずれか１項に記載のアセンブリ。
【請求項２３】
前記制御案内部材（４８）の連結点は、円板又は部分円板（４２ａ）の周囲端において歯部の存在しない部分に位置する、請求項２２に記載のアセンブリ。
【請求項２４】
第１、第２、及び第３の結合部材（４２，４３，４４）、制御案内部材（４８）、及び補助案内部材（４６，４７）は、レバー形態である、請求項１７〜２３のいずれか１項に記載のアセンブリ。
【請求項２５】
レバー形状である第２の結合部材（４３）は、前記円板又は部分円板（４２ａ）の両側を包んでおり、その両端によって該円板又は部分円板（４２ａ）に連結される分岐を有する形状である、請求項２４に記載のアセンブリ。
【請求項２６】
前記制御案内部材（４８）は、前記分岐形状の第２の結合部材（４３）を通り抜ける、請求項２５に記載のアセンブリ。
【請求項２７】
前記制御案内部材（４８）は、分岐形状であり、円板又は部分円板（４２ａ）の両側の周囲端を包んでおり、その両端によって該円板又は部分円板（４２ａ）に連結される、請求項２４〜２６のいずれか１項に記載のアセンブリ。
【請求項２８】
前記補助案内部材（４７）は、分岐形状の前記制御案内部材を通じて、制御案内部材（４８）に接続される、請求項２７に記載のアセンブリ。
【請求項２９】
前記第３の結合部材（４４）及び前記制御案内部材（４８）に接続される前記補助案内部材（４６）は、離間して配置された合同な２つの案内レバーから形成され、
各レバーは、前記第３の結合部材（４４）及び前記制御案内部材を、対応する接続点において包む、請求項２４〜２８のいずれか１項に記載のアセンブリ。
【請求項３０】
レバー形態である第３の結合部材（４４）は、２つの合同に配置されたレバー部品からなる、請求項２４〜２９のいずれか１項に記載のアセンブリ。
【請求項３１】
請求項１〜１６のいずれか１項に記載のディスプレイ装置の１つのレベルにおいてディスプレイパネルを旋回させるために、請求項１７〜３０のいずれか１項に記載のアセンブリを使用する方法であって、支持構造体は、フレーム（４０）に対応し、コンポーネント（４１）は、前記ディスプレイパネルのうちの１つに対応する、方法。
【発明の詳細な説明】
【技術分野】
【０００１】
本発明は、一般に、広告用媒体の分野に関し、詳細には従来設計のディスプレイパネルに基づく新規な宣伝発表手段のための装置に関する。
【背景技術】
【０００２】
音響映像の発表用のディスプレイパネルを、特に液晶ディスプレイ（ＬＣＤ）及び薄膜トランジスタ（ＴＦＴ）の平坦なスクリーンなどの平坦なスクリーンとして提供されるスクリーン及びディスプレイの形態で用いることは知られている。これらのスクリーンは、例えば、店舗、産業見本市、及び公共の交通機関において広告のメッセージを発表するために用いられる。これらのスクリーンは一般に目標位置において据え付けられ、可視的な材料、また任意でビデオプレーヤ又はＤＶＤプレーヤによる音声が提供される。長年に渡って不変的に使用されていることから、この広く用いられるタイプの発表は、その魅力の多くを失っている。当の大衆は、このタイプの発表に慣れているおり、少なくとも家庭でのテレビの使用に慣れているから、そのため、一般にはもはや特別な注目を集めない。
【０００３】
更に、特許文献１は、音響映像の発表装置であって、映像及び音声コンテンツが発表手段であるスクリーンの動きに調和する装置を開示している。この装置では、宣伝される製品はこれまでに発表されたものであるが、高効率な宣伝のプラットフォームが提供される。この発明では、スクリーン形態の発表手段によってこの発表に関与する人々に発表が行われるため、静止スクリーンを備える従来の音響映像の発表装置では（その効果は長年見慣れたものであるために）達成することのできない程度にまで、専門家グループ又は最終的な消費者などの関連する大衆の注目を集める。
【先行技術文献】
【特許文献】
【０００４】
【特許文献１】欧州特許第号１，４６３，０１８明細書
【発明の概要】
【発明が解決しようとする課題】
【０００５】
この最近示された発表装置は、その価値を実用において証明している。それにもかかわらず、全く見慣れない手法で更に動的に広告発表でき、したがって、目標の公衆に更に強く働きかけることができるディスプレイパネルに基づく発表装置の要求が存在する。
【課題を解決するための手段】
【０００６】
従って、本発明の目的は、ディスプレイ装置を提供することであり、詳細には、高効率な広告プラットフォームを構成する広告用のディスプレイ装置を提供することである。
この目的は、請求項１の特徴により達成される。本発明の有利な更なる展開は、従属する請求項に記載される。
【０００７】
言い換えると、本発明は、従って、タワーのように設計されたディスプレイ装置であって、大きく且つ個々に可動な複数のディスプレイパネルを備えており、それらのパネルは、いくつかのレベルに配列される装置を提供する。その複雑な一連の動きは、広告メッセージのコンテンツに調和しており、従って、形状が変わる３次元における広告手段を提供する。
【０００８】
ディスプレイパネルは、静止した（宣伝）コンテンツ（例えば、印刷物の形態の）を備えるパネルでもよい。しかし、特に好適には、動きのある可視コンテンツに対する平坦な
スクリーンの使用であり、可視コンテンツがパネルの動きに適合するか、又は、逆に、パネルの動きが動きのあるコンテンツに基づき制御される。
【０００９】
詳細には、本発明は、複数のディスプレイパネルを備えるタワー形状に設計されたディスプレイ装置であって、前記ディスプレイパネルは、複数のレベルにおいて１つが他の上に組み立てられ、翼のように各レベルにおいて旋回するように接続され、レベルごとにそれぞれ互いから独立して共通垂直軸に対して回転可能であり、前記ディスプレイパネルは、作動手段により、１つのレベルにおけるディスプレイパネルが載置されるように共通な垂直面に対して広げられる位置と、プリズムの側面を形成し、ディスプレイパネルをレベルごとに回転させるために折りたたまれる位置との間においてレベルごとに折りたたみ及び広げられる装置を提供する。
【００１０】
好適には、プリズムは、直線的であり、特に好適には、三面プリズムである。有利には、各レベルのディスプレイパネルは、プリズム内に載置されディスプレイパネルが折りたたまれている状態を規定する特定のプリズム支持構造体に接続されている。
【００１１】
詳細には、三面プリズムの場合に限定されるものではないが、ディスプレイパネルのうちの１つは、支持構造体にしっかりと固定されるとともに、同じレベルにおいて該ディスプレイパネルの両側に隣接するディスプレイパネルは、折りたたまれたり広げられたりするために、旋回可能に先のディスプレイパネルに結合され、任意に、更なるディスプレイパネルが旋回可能に先の両側に隣接するディスプレイパネルに結合される。
【００１２】
好適には、作動手段は、１つのレベルにおいてディスプレイパネルを旋回するためにピストン−シリンダアセンブリ、及びレバーアセンブリのうちの少なくとも１つを備え、ピストン−シリンダアセンブリ、及びレバーアセンブリのうちの少なくとも１つのアセンブリは、支持構造体と、旋回されるディスプレイパネルとに接続される。
【００１３】
駆動手段は、対応するレベルの支持構造体を回転して駆動するため、且つ、レベルごとのディスプレイパネルを折りたたんだり広げたりするために、それらのレベルの垂直軸に整合した同心シャフトアセンブリを備える。
【００１４】
有利には、ディスプレイパネルのレベルは、ベースに配置されており、該ベースは、個々のレベルの折りたたまれたディスプレイパネルと同じプリズム形状を有する。
有利には、１つの面に存在する、広げられたディスプレイパネルにおける、各ディスプレイパネルの可視コンテンツは、１つの結合した大型画像を構成する１つのレベルに渡って広がっている。
【００１５】
例えばＬＣＤディスプレイなど、平坦なスクリーンの形態のディスプレイパネルの場合、ディスプレイパネルの可視コンテンツ全ての可視コンテンツの集合は、ディスプレイパネルの旋回と、支持構造体の回転とを制御する。
【００１６】
平坦なスクリーンの場合、可視コンテンツに応じて駆動手段を作動させるコンテンツプレーヤを備える電子制御装置が、有利に提供される。更に、本発明は請求項１７〜３１に応じて、大規模コンポーネントを旋回させる効率的なアセンブリと、本発明に応じたディスプレイ装置のディスプレイパネルを旋回させるための該アセンブリの使用方法とに関する。
【００１７】
下記において、本発明は図面によって、より詳細に説明される。
【図面の簡単な説明】
【００１８】
【図１】３つのレベルに配列されたディスプレイパネルを備える本発明のディスプレイ装置の実施形態を示す図であって、パネルは、同一の三面プリズムを回転位置における各レベルに形成するように折りたたまれており、３つのプリズムの側面は、共通の三面プリズムの形成を助長するために、互いに平らになっている、１つのプリズム端における図。
【図２】回転位置における図１のディスプレイ装置の実施形態を示す図。回転位置は、３つのプリズムが互いに関連して回転して載置される位置である。
【図３】図１，２のディスプレイ装置の実施形態を示す図であって、中段レベルにおける３つのディスプレイパネルは、共通垂直面において載置され、下段レベルにおける２つのディスプレイパネルは、共通面において載置されるとともに、この共通面における第３のディスプレイパネルは、三面プリズムの角度に傾くように載置され、上段における２つのサイドディスプレイパネルは、中央ディスプレイパネルに対して異なる角度であって、プリズム角度よりも大きな角度に傾いて載置される図。
【図４】図３のディスプレイパネルの配置におけるディスプレイ装置の上面図。
【図５】少なくとも１つのコンポーネントを旋回させるための構成の実施形態を示す図であって、コンポーネントは、旋回面において旋回可能にフレームに構成され、且つ、図１〜４のディスプレイ装置のディスプレイパネルを旋回させるのに適しており、ディスプレイ装置の支持構造体の構成は、フレームに対応するとともに、コンポーネントは、ディスプレイパネルのうちの１つの構成に対応する図。
【図６】図５の構成の上面図。
【発明を実施するための形態】
【００１９】
図面には、ディスプレイ装置１０の一実施形態を示す。ディスプレイ装置１０は、長方形状のディスプレイパネル１１，１２，１３；１４，１５，１６；１７，１８，１９を備えるタワー形状などに設計されており、パネルは、下段レベル２０と、中断レベル２１と、上段レベル２２との３つのレベルにおいて配列されており、同じ長方形状の寸法を有する。各レベル２０，２１，２２の高さは同一であり、ディスプレイパネル１１〜１９の短い方の長さに対応する。更に、各レベル２０，２１，２２は、同一の直線的な三面プリズム形態において支持構造体２３，２４，２５を備える。
【００２０】
図３に示される上段レベル２２に関して、上方三角形プレート２５及び下方三角形プレート２６は、互いに離間し、該レベル２２のプリズムの支持構造体２５を形成しており、プレートの同一の端長は、長方形状ディスプレイパネル１７，１８，１９の長い方の幅に対応し、レベルの高さ及びディスプレイパネルの短い方の長さに応じて、バー２８のフレームワークによって互いに堅固に接続される。中央ディスプレイパネル１８は、支持構造体２５に堅く接続されるとともに、両側に隣接するディスプレイパネル１７，１９は、運動可能にディスプレイパネル１８に接続され、液圧／空気圧によって駆動されるピストン−シリンダ構造、モータ駆動レバー機構、又は、スピンドル駆動を備える作動手段（図示なし）によって旋回されることができる。中段及び下段レベル２０，２１の支持構造体２３，２４は、上段レベル２２の支持構造体２２と同一の設計であり、上段レベルの場合と同様に、対応するレベルのディスプレイパネル１１〜１９に接続される。更に、共通な垂直に整列されたシャフト構造体２９に、支持構造体が、それぞれ互いから独立して回転的可能に取り付けられており、シャフト構造体は、３つの支持構造体２２，２３，２４を通過する。この用途のため、示されていない方法において、シャフト構造体は、３つの独立して駆動される同軸のシャフトであって、支持構造体にそれぞれ接続されるシャフトを含むことができる。シャフト構造体は、フレームワーク形態において生成され、例えば、コンクリートの基礎などの基板３２に据え付けられているベース３０の上方プラットフォーム３１の中心における下方端に据え付けられており、３つのレベル２０，２１，２２の支持構造体２２，２３，２４と同じプリズム形態を有している。
【００２１】
サイドディスプレイパネル１１，１３；１４，１６；１７，１９は、作動手段によって対応する中央ディスプレイパネル１２；１５；１８に関連して、２つの終端位置の間の任意の位置において、旋回されることができる。終端位置の１つは、図３，４においてディスプレイパネル１４〜１６の手段によって中段レベル２１に示されるように、レベル２０〜２２の１つのレベルにおける３つ全てのディスプレイパネル１１〜１３，１４〜１６及び１７〜１９が、共通垂直面において載置される位置であり、もう１つの位置は、図１，２の３つのレベル２０〜２２全てにおいて示されるように、サイドディスプレイパネルが、対応する支持構造体に対向して載置される位置である。２つの終端位置の中間の位置は、図３，４の上段レベル２５において示され、従って、１つのサイドディスプレイパネル１７は、中央ディスプレイパネル１８に対して、もう一方のサイドディスプレイパネル１９より大きな角度において旋回され載置される。サイドディスプレイパネルの更なる旋回位置は、図３，４の下段レベル２０において示される。従って、サイドディスプレイパネル１１は、対応する支持構造体２３に対向して載置されるとともに、サイドディスプレイパネル１３は、その位置において、中央ディスプレイパネル１２とともに垂直面において載置される旋回位置を採用する。
【００２２】
各サイドディスプレイパネルは、原則的に、２つの終端位置（開／閉）の間の各位置を採用することができる。加えて、各面２０，２１，２２は、いかなる制限もなく所望の頻度において、互いに独立してシャフト構造体（中心軸）に対して回転されることができ、０〜３６０°のいかなる位置を採用することもできる。
【００２３】
更に、図２，３，４は、各レベルごとに異なる、支持構造体２３，２４，２５の対応する作動手段によってもたらされる回転後の位置を示している。図１は、３つのレベル２０，２１，２２の支持構造体２３，２４，２５を示しており、サイドディスプレイパネル１１，１３；１４，１６；１７，１９は、回転位置において、支持構造体に常に対向するように配置され、各レベルにおけるプリズムの３つ全ての側面は、従って、閉じられ他のレベルのプリズムと整列し、共通面において載置される。
【００２４】
ディスプレイパネルは、外側の表示側に、例えば、印刷物の形態などの、静止した可視コンテンツを備えることができる。複数のディスプレイパネルにおける各ディスプレイパネルの可視コンテンツは、１つの結合した大型画像を発表できる１つのレベルに渡って広がっている。
【００２５】
代替として、ディスプレイパネルは、表示側に、動きのある可視コンテンツを含むことができる。この場合、ディスプレイパネルは、好適には発光ダイオード（ＬＥＤ）パネル若しくは平坦なスクリーンの形態、又は、平坦なスクリーンを備える。図１〜４に示されるディスプレイ装置の有利な魅力は、独立したディスプレイパネルの可視コンテンツがディスプレイパネルの旋回及びその支持構造体の回転を制御することである。この場合、ディスプレイ装置は、可視コンテンツに応じた駆動手段を作動させるコンテンツプレーヤを備える。
【００２６】
本発明は、三角形状のベースを備える直線的なプリズム形態を一例とする上記に説明されるディスプレイ装置の実施形態に限定されない。実際には、三角形状のベースを備え直線的に延びていないプリズム及び４つ以上の角を有するプリズムが可能である。例えば、４つの角を有する場合、中央ディスプレイパネルを対応する支持構造体に固定されることができ、又は、２つの隣接するディスプレイパネルが固定されることができる。更なる可能性は、レベル面の数により定められる、例えば、立方体及び角錐状であるなどの幾何構造体である多角形であり、支持構造体は、対応する幾何構造を有する。
【００２７】
更に、本発明は、３つのレベルを備えるディスプレイ装置に限定されない。実際には、
ディスプレイ装置は、基本的に単一レベルを備えることができ、２つのレベル又は４つ以上のレベルもまた備えることができる。図５，６は、フレーム４０において組み立てられた少なくとも１つのコンポーネント（４１）を旋回させるアセンブリを示しており、図５，６から見てとれるように、旋回面において旋回されることができ、このように制限されることなく、図１〜４のディスプレイ装置のディスプレイパネルを旋回させることに適している。
【００２８】
旋回アセンブリは、２つのディスプレイパネル又はコンポーネント４０，４１’を旋回させる役割を担い、コンポーネント４０，４１’は、対応する固定されたディスプレイパネルに対応して、固定されたコンポーネントの隣において連結される。後述において、コンポーネント４１を旋回させるアセンブリのみ説明され、他のコンポーネント４１’を旋回させる機能は同様であり、同一の参照符号を保持する対応する部材は、「’」によって付加的に認識される。
【００２９】
５肢の平坦なレベル結合機構４０〜４４をそれぞれ備える少なくとも１つのコンポーネント４１を旋回させるための旋回アセンブリであって、５肢のレベル結合機構４０〜４４は、フレーム４０によって形成される固定結合部材と、フレーム４０の第１固定点に連結された第１の可動結合部材４２とを備え、前記第１の可動結合部材４２は、第２及び第３の可動結合部材４３，４４によって第４の可動結合部材に結合され、第４の可動結合部材は前記フレーム４０の第２固定点４５に連結され、それによって、前記５肢のレベル結合機構４０〜４４は旋回可能なコンポーネント４１を形成し、前記第２及び第３の結合連結部４３，４４は、２つの補助案内部材４６，４７によって補われ、補助部材４６，４７は、４バー連結部４３，４４，４６，４７を形成するように、互いに対し及び第３の可動結合部材に対し、節ジョイント部４６ａ，４７ａによって運動可能に接続されており、補助案内部材４６，４７を互いに接続させる節ジョイント部４８ａは、制御案内部材４８によって、前記第１の可動結合部材４２に接続される。
【００３０】
第１の可動結合部材４２は、旋回駆動部４９〜５１に接続される。第１の可動結合部材４２は、フレーム４０に回転可能に取り付けられる、円板又は部分円板４２ａの形状であり、該円板又は部分円板４２ａの周囲には駆動歯車４９と噛み合う周辺歯部５０がウォームギア部として形成される。ウォームシャフトは、電気モータ、ベルト５１ａ、及び周辺歯部５０によって回転駆動される第１の結合部材４２によって、回転される。第２の結合部材４３は、回転可能に取り付けられる円板又は部分円板４２ａに対して、その周囲端から径方向内側に連結されるとともに、円板又は部分円板４２ａの形状の周囲端上の制御案内部材４８は、周方向において、前記ディスク上、又は、第１の結合部材４２上の第２の結合部材４３上の結合点から離れており、制御案内部材４８の連結点は、円板又は部分円板４２ａの形状の周辺端において、歯部の存在しない部分に位置する。
【００３１】
第１、第２、及び第３の結合部材４２，４３，４４、制御案内部４８、及び補助案内部材４６，４７は、レバー形態である。
レバー形状である第２の結合部材４３は、円板又は部分円板４２ａの形状の両側を包んでおり、その両端によって、該円板又は部分円板４２ａに連結される分岐を有する形状である。制御案内部４８は、分岐形状の第２の結合部材４３を通り抜ける。
【００３２】
制御案内部４８は、同様に分岐形状であり、円板又は部分円板４２ａの両側の周囲端を包んでおり、分岐を有する両分岐端によって該円板又は部分円板４２ａの形状に連結される。
【００３３】
同様に、補助案内部材４７は、分岐形状の制御案内部を通じて、該制御案内部材４８に接続される。
第３の結合部材４４及び制御案内部材４８に接続される補助案内部材４６は、上述される分岐形状のレバー部材などの、離間して配置された合同な２つの案内レバーから形成され、各レバーは、前記第３の結合部材４４及び前記制御案内部材と、対応する接続点において重なる。
【００３４】
レバー形状である第３の結合部材４４は、２つの合同に配置されたレバー部品から成る。図５，６に示される旋回アセンブリは、高安定度な精密な動作と、比較的制限された電力を用いて電気モータに応じてコンポーネント又はディスプレイパネルを旋回させることを可能にすることを特徴とする。
【００３５】
参照符号の一覧表
１０  ディスプレイパネル
１１  下段レベルのサイドディスプレイパネル
１２  下段レベルの中央ディスプレイパネル
１３  下段レベルのサイドディスプレイパネル
１４  中段レベルのサイドディスプレイパネル
１５  中段レベルの中央ディスプレイパネル
１６  中段レベルのサイドディスプレイパネル
１７  上段レベルのサイドディスプレイパネル
１８  上段レベルの中央ディスプレイパネル
１９  上段レベルのサイドディスプレイパネル
２０  下段レベル
２１  中段レベル
２２  上段レベル
２３  下段の支持構造体
２４  中段の支持構造体
２５  上段の支持構造体
２６  上段の三角形プレート
２７  下段の三角形プレート
２８  バーのフレームワーク
２９  シャフト構造体（中心軸）
３０  ベース
３１  プラットフォーム
３２  基板
４０  フレーム
４１  コンポーネント
４１ａ  静止コンポーネント
４２  第１の結合部材
４２ａ  円板又は部分円板
４３  第２の結合部材
４４  第３の結合部材
４５  第２固定点
４６  補助案内部材
４６ａ  節ジョイント部
４７  補助案内部材
４７ａ  節ジョイント部
４８  制御案内部材
４８ａ  節ジョイント部
４９  ウォームシャフト
５０  周辺歯部
５１  電気モータ
５１ａ  ベルト
【図１】
2013539060.tif 000003
【図２】
2013539060.tif 000004
【図３】
2013539060.tif 000005
【図４】
2013539060.tif 000006
【図５】
2013539060.tif 000007
【図６】
2013539060.tif 000008
【国際調査報告】
2013539060.tif 000009
2013539060.tif 000010
2013539060.tif 000011
2013539060.tif 000012
2013539060.tif 000013
2013539060.tif 000014
2013539060.tif 000015
2013539060.tif 000016